(57)【要約】【課題】投稿者の問題提起に対し第三者の賛否意見を対峙させながら、最終的に討論の結論まで導き出すことが可能な討論型ウェブ投稿システムを提供する。【解決手段】投稿者の問題提起に対し、意見投稿を行う者が事前の賛否判断をベースに投稿を行う。その結果は、後続の参加者の参考意見として閲覧され、その意見投稿に対する反論投稿も可能である。更に解決案投稿を行い、それら投稿を閲覧した第三者が各投稿に対する支持投票を行い、高評価であったものが当該討論の結論と位置付けられ、インターネット上での討論実施が可能となる。【選択図】図１
2014056433.tif 000002
【特許請求の範囲】
【請求項１】
１）問題提起に相当する討論主題投稿文を書き込む手段、
２）主題に対する賛成意見投稿文を書き込む手段、
３）主題に対する反対意見投稿文を書き込む手段、
４）主題に対する解決案投稿文を書き込む手段、
５）討論主題投稿文の表示手段、
６）複数の賛成意見投稿文の表示手段、
７）複数の反対意見投稿文の表示手段、
８）複数の解決案投稿文の表示手段、
９）賛成意見投稿文と反対意見投稿文を閲覧者が画面上で閲覧した際に、投稿内容に対し、同意の意思表示投票を行う手段、
１０）賛成意見投稿文及び反対意見投稿文の各々に対し閲覧者が意志表示投票した結果を、討論主題毎に集計する手段、
１１）解決案投稿文の各々に対し閲覧者が意志表示投票した結果を討論主題毎に集計し、同意者が最も多い解決案投稿文を得票数から抽出する手段、
１２）同意得票数の最も多い解決案投稿文を討論主題に対する討論結果として表示する手段、
１３）投稿された討論主題投稿文の表示エリアと、その下部に付随する形で、当該討論主題に対する複数の賛成意見投稿文と複数の反対意見投稿文の表示エリアが左右に分離し相対して存在しており、更にそれに続き複数の解決案投稿文の表示エリアが存在する位置関係で表示させる手段、
１４）討論主題に対する賛成意見投稿、反対意見投稿及び解決案投稿の投稿数もしくは、投稿可能期間をリアルタイム管理し、一定数もしくは一定期間を過ぎると意見投稿の受付を終了する手段、
としてコンピュータを機能させ、
投稿主題に対し賛成、反対とする区別を明確化した意見投稿を可能とし、意見投稿参加者が自身の賛否判断との相違意見を同一画面上で容易に参照でき、それら意見投稿各々に対する閲覧者投票結果を基に更に解決案投稿を促し、それら解決案投稿各々に対する閲覧者投票結果から討論主題に関する討論結果を導き出すものであることを特徴とする討論型ウェブ投稿プログラム。
【請求項２】
一連のプロセスを経て討論結果が導き出された後、当該討論結果を次討論プロセスの討論主題に置き換える手段として、更にコンピュータを機能させ、討論の更なる深化継続を人為操作による画面展開により繰り返し無制限に可能とすることを特徴とする請求項１に記載の討論型ウェブ投稿プログラム。
【請求項３】
請求項１又は２に記載の討論型ウェブ投稿プログラムを搭載したコンピュータをウェブサーバとした討論型ウェブ投稿システム。
【発明の詳細な説明】
【技術分野】
【０００１】
本発明は、インターネットを利用し、個人的な悩み相談、種々問題提起等を行う投稿サイトにおいて、投稿者の問題提起投稿に対し、賛成意見投稿と反対意見投稿の区別を行い、更に解決案投稿を促すことにより、それら投稿を閲覧する第三者の各投稿に対する評価を基に討論結論を導き出すことを特徴とする討論型ウェブ投稿プログラムおよびシステムに関する。
【背景技術】
【０００２】
従来の投稿サイトは、投稿された主題に対し、その投稿を閲覧した参加者が、主題に対し賛否を明確に出来ず意見投稿し、その結果はサイト画面上で主題投稿に従属する形で羅列表示されていた。この形式では、討論の展開、進化に必要な他者意見の賛否位置付けが把握し辛く、討論の進行には不向きであり結論を導き出すのも困難であった。
【０００３】
このような背景において発案されたのが本発明であり、図４を基に従来の投稿サイトの運営方法に就き解説する。この場合、討論主題投稿がなされ、その討論主題投稿文１０１が、当該サイト上に掲載される。これは投稿者自身の悩み、その他問題提起等であり、第三者に何らかの回答を求めているものである。サイト上で、それら投稿主題を閲覧した者がその回答を投稿する。その際、回答意見を投稿するものは、投稿主題に対する賛成、反対の判断をせず、単なる自己の考えを意見投稿として回答が可能であり、それら複数者から寄せられた意見投稿は討論主題に対する意見投稿文４０１としてサイト画面上にて討論主題文１０１に従属する形で表示される。このように、賛成、反対の明確な意志表示を伴わず投稿が可能であることから明確な結論を導き出すことが困難であった。
【０００４】
これまでの投稿サイトの運営手法の一つとして、投稿主題を提供した者が、優良な回答者を指定して、所望の解決策を引き出すような仕組みは存在している（例えば、特許文献１を参照。）。
しかしながら、特許文献１に開示された技術では、賛成、反対の明確な意志表示を伴わない意見を評価するものであり、投稿者の賛成・反対の立場を明確に示すものではなかった。また、賛成・反対意見を参酌して結論を導いた内容を更に評価する仕組みはなく、意見を参酌した討論手段に対する結論が客観的なものとは言い難かった。
【先行技術文献】
【特許文献】
【０００５】
【特許文献１】特開２００９−２５１７０１号公報
【発明の概要】
【発明が解決しようとする課題】
【０００６】
本発明は、インターネット上での投稿サイトを討論サイトに発展させることが可能であり、それらを実現するためには、討論の結論を導き出すまでの手段が必要であり、それら課題解決が急務であると考える。
【０００７】
つまり、背景技術においては、投稿された主題に対する第三者回答投稿を羅列し、その羅列された回答投稿に第三者が各々評価投票を可能としているだけであり、それら一連の運営方法を討論サイトに発展させるには無理がある。本発明では投稿された主題に対し、それを閲覧した第三者が賛成、反対を明確に意志決定した後、当該画面から意見投稿を書き込み、その投稿内容表示も賛成、反対意見として区別され、主題投稿文の表示に従属して相対する形態にて表示されるため、後続の参加者、閲覧者が当該サイトを覗いた瞬間に討論型サイトであることが認識可能であり、各意見投稿を閲覧した第三者が、意見投稿に投票する際もその判断が容易となるものである。また賛成、反対意見投稿が終了すると、解決案投稿がなされ、その投稿を閲覧した第三者の投票結果から討論の結論を導き出すことも可能であり、実用性の高い討論型ウェブ投稿システムを提供することを目的としている。
【課題を解決するための手段】
【０００８】
上述した課題を解決し、目的を達成するために、本発明の討論型ウェブ投稿プログラムおよびシステムは、インターネットを利用し、個人的な悩み相談、種々問題提起等を行う投稿サイトにおいて、投稿者の問題提起投稿に対し、賛成意見投稿と反対意見投稿の区別を行い、それら投稿を閲覧する第三者の各意見投稿に対する評価を基に解決案投稿を促し、更にそれら投稿を閲覧する第三者の各解決案投稿に対する評価から討論結論を導き出す。
【０００９】
本発明の討論型ウェブ投稿プログラムは、コンピュータを下記１）〜１４）の手段として機能させる。
１）問題提起に相当する討論主題投稿文を書き込む手段
２）主題に対する賛成意見投稿文を書き込む手段
３）主題に対する反対意見投稿文を書き込む手段
４）主題に対する解決案投稿文を書き込む手段
５）討論主題投稿文の表示手段
６）複数の賛成意見投稿文の表示手段
７）複数の反対意見投稿文の表示手段
８）複数の解決案投稿文の表示手段
９）賛成意見投稿文と反対意見投稿文を閲覧者が画面上で閲覧した際に、投稿内容に対し、同意の意思表示投票を行う手段
１０）賛成意見投稿文及び反対意見投稿文の各々に対し閲覧者が意志表示投票した結果を、討論主題毎に集計する手段
１１）解決案投稿文の各々に対し閲覧者が意志表示投票した結果を討論主題毎に集計し、同意者が最も多い解決案投稿文を得票数から抽出する手段
１２）同意得票数の最も多い解決案投稿文を討論主題に対する討論結果として表示する手段
１３）投稿された討論主題投稿文の表示エリアと、その下部に付随する形で、当該討論主題に対する複数の賛成意見投稿文と複数の反対意見投稿文の表示エリアが左右に分離し相対して存在しており、更にそれに続き複数の解決案投稿文の表示エリアが存在する位置関係で表示させる手段
１４）討論主題に対する賛成意見投稿、反対意見投稿及び解決案投稿の投稿数もしくは、投稿可能期間をリアルタイム管理し、一定数もしくは一定期間を過ぎると意見投稿の受付を終了する手段
【００１０】
そして、投稿主題に対し賛成、反対とする区別を明確化した意見投稿を可能とする。また、意見投稿参加者が自身の賛否判断との相違意見を同一画面上で容易に参照でき、相対する意見投稿に対し同意、反論投稿を行うことも可能とする。そのようにすることで、当該主題に対し、多くの者が参加した討論ステージがウェブサイト上でリアルタイムに展開されることになる。また、それら意見投稿を経た解決案投稿の各々に対する閲覧者投票結果により当該主題に関する討論結果を導き出す。即ち当該主題に係わる解決案投稿の内、同意投票の最高得点を得た解決案投稿を参加者の支持を得た解決策とみなし、その投稿内容を討論の結果として位置付け可能とすることを特徴とする。
【００１１】
次に、上記の本発明の討論型ウェブ投稿プログラムにおいて、一連のプロセスを経て討論結果が導き出された後、当該討論結果を次討論プロセスの討論主題に置き換える手段として、更にコンピュータを機能させ、討論の更なる深化継続を人為操作による画面展開により繰り返し無制限に可能とすることを特徴とする。
【００１２】
また、本発明の討論型ウェブ投稿システムは、上記の本発明の討論型ウェブ投稿プログラムを搭載したコンピュータをウェブサーバとする。
【００１３】
上述の如く、本発明は、投稿主題に対する賛成、反対意見の投稿を分離し、それら投稿結果も分離、相対させ表示することにより、投稿主題に対する賛否意見を鮮明に示すことにより、参加者の討論意欲を増大させる。
次に、各意見投稿に対する第三者評価投票結果により、解決案投稿を促し、それらに対する第三者評価投票結果から討論の結論まで導き出すことが可能である。その結果として当該サイトの運営活発化をも促すものである。
【００１４】
インターネット上での投稿サイトは、投稿主題に対し、回答投稿を提供することだけが目的であり、いかにして回答投稿を活発化し、討論形式により、結論まで求める楽しさは追求されていないのが実態である。
【００１５】
話題は転じるが、国内では、大手数社の投稿サイトが大々的に運営されている、それらはかなりの累計会員数を誇り、サイト内は活況を呈している様子が伺われるが、その質問回答形式は総て同一であり、各社ともに差別化を如何に図るかに腐心しているように見受けられるが、利用者側からは各サイトの雰囲気等個人的嗜好による利用選別がなされているようにしか見えないのが実情である。
【００１６】
本課題の解決手段としては、投稿主題に対し真摯に回答することと同時に、賛成、反対意見を持つ者がお互いの意見を参照、参考とすることにより、結果としてより適切な答えが導き出される仕組みが必要であると同時に更なる付加価値化が不可欠である。従ってそれらを具体化するには、相対する意見の存在を明確化することと同時に、その内容が容易に閲覧可能であるべきであり、本発明は、それらを具体化し、更に意見投稿に対する第三者評価投票結果に基づき、解決案投稿も促し、それら投稿に対する第三者投票結果を基に、討論結果としての最良の結論を導き出し、必要ならばその結論を討論ステージ次プロセスの討論主題と位置付け、更に当該討論を深化させることも可能である。インターネット上でリアルタイムの討論を実施し、明確な結論を導き出すことは不可能であるとの固定観念を打ち破り、単なる質問回答形式の域を脱した投稿サイトとして拡大発展を確実化するものである。
【発明の効果】
【００１７】
本発明は、従来から運営されている質問回答形式の投稿サイトに更なる付加価値化を図ることを目的としたものであり、回答の段階を賛否両者の意見交換を目的とした討論形式を採用することにより、より良い適切な結論が得られるようその仕組みを具体化した
ものであり、投稿サイトの更なる発展に貢献するものである。
【図面の簡単な説明】
【００１８】
【図１】討論型ウェブ投稿システム展開イメージ図
【図２】情報端末機器における画面表示例
【図３】コンピュータ・ハードウェアの内部構成
【図４】従来の回答羅列型ウェブ投稿システム展開イメージ図
【発明を実施するための最良の形態】
【００１９】
以下に、添付図面を参照して、この発明に関わる討論型ウェブ投稿システムの実施の形態を詳細に説明する。但し、本発明の範囲は、図示に限定されるものではない。
【実施例１】
【００２０】
先ず、図１を基に、討論型ウェブ投稿システム展開イメージ図に就き説明する。
討論主題投稿がなされ、その討論主題投稿文１０１が、当該サイト上に掲載される。これは投稿者自身の悩み、その他問題提起等であり、第三者に何らかの回答を求めているものである。サイト上で、それら投稿主題を閲覧した者がその回答を投稿する。その際回答者は、事前に討論主題に記される内容に賛成か反対かの判断を行う。その判断結果に基づき、賛成、反対、各々を指定されたフォーマットに書き込み投稿する。それらは、賛成意見投稿文１０２もしくは反対意見投稿文１０３とした位置付けに基づき、サイト画面上に討論主題投稿文１０１に従属する形で、相対し表示される。そして賛否両者が意見投稿をリアルタイムに順次行うことになる。その際、意見投稿者は自らの意見に対する反対意見とはどのような内容であるかを閲覧し、それら反対意見に対する反論を投稿することも可能である。それら回答群を第三者である投稿内容閲覧及び評価者１０５が閲覧し、各々の意見投稿に対し、例えば「同意」「非同意」の投票を行うことが可能である。
【００２１】
更にこれらを参考として意見投稿と同様に解決案投稿１０９がなされ表示される、これに対しても第三者である投稿内容閲覧及び評価者１０５が閲覧し、各々の解決案投稿に対し、例えば「同意」「非同意」の投票を行うことが可能である。このような作業が、異なる役割を演じる複数の参加者によりリアルタイムに進行して行き、一定の条件に達すると総ての投稿は締め切られる。一定の条件とは、例えば、投稿数制限、経過時間もしくは経過日数がそれに相当する。その結果、以下の成果が導き出される。
【００２２】
具体的には賛成、反対に属する各意見投稿に対する支持者数が上げられる。またその次の段階である解決案投稿の各投稿に対する支持者数から最も多くの支持を得た解決策投稿を取り上げることにより、それを討論主題に対する結論として位置付けることが可能である。従ってそれに該当する解決案投稿文は、第１プロセス結論１０４として、解決案投稿に従属する形でサイト上にて表示される。ここで第１プロセスとした理由は、この段階で討論を終了させず、この結論を第２プロセス討論主題に置き換えることにより、更に討論を深化させることが可能であり、第２、第３と展開できることを示しており、討論進行に欠かせぬとされる司会役が不在でも、インターネット上での討論展開がスムーズに実現することになる。
【００２３】
次に、図２を基に、情報端末機器における画面表示例に就き説明する。
討論主題投稿メッセージ表示エリア２０１には、投稿者が投稿した主題が文章として単一で表示される。賛成意見投稿メッセージ表示エリア２０２、反対意見投稿メッセージ表示エリア２０３には、討論主題に対し投稿された各意見が複数表示可能である。また、討論主題の解決案の投稿表示エリア２０５には、賛成意見、反対意見を参考に投稿された各解決案が複数表示可能である。各々の表示欄の右側に設けられているスライダー２１０、或いは、エリア全体を指でタッチして移動させることによって表示エリアのスクロールが可能である。また、既述投稿を行う際には、意見投稿ボタン２０４、解決案投稿ボタン２０６で専用画面に移行し、投稿文の書き込みが行える。
そして、討論プロセスの最終段階に至ると総ての投稿が締め切られる。そして、結論表示ボタン２０８を押せば最多支持解決案を、最多支持解決案表示エリア２０７に表示する。
【００２４】
次に、図３を基に、討論型ウェブ投稿プログラムを実行するコンピュータ・ハードウェアの内部構成に就き説明する。コンピュータ・ハードウェアの内部構成は、ＣＰＵ１１１、ＲＯＭ１１２、ハードディスク１１３、キーボード１１４、マウス１１５、ディスプレイ１１６、光学式ドライブ１１７、ＲＡＭ１１８を備えており、システムバス１１９に接続されている。ＲＯＭ１１２はコンピュータを起動するためのブートアッププログラム等のプログラムを記憶する。ＲＡＭ１１８は討論型ウェブ投稿プログラムの命令を一時的に記憶するとともに一時記憶空間を提供する。ハードディスク１１３は討論型ウェブ投稿プログラム、システムプログラム及びデータを記憶する。キーボード１１４、マウス１１５は、コンピュータの操作者からの命令を受け付ける。ディスプレイ１１６は、討論型ウェブ投稿プログラムにおける画面を表示する。コンピュータは、ネットワークへの接続を提供するネットワークカードを含む。
【産業上の利用可能性】
【００２５】
本発明は、種々のウェブ投稿システムに利用できる。
【符号の説明】
【００２６】
１０１  討論主題投稿文
１０２  第１プロセス討論主題に対する賛成意見投稿文
１０３  第１プロセス討論主題に対する反対意見投稿文
１０４  第１プロセス結論
１０５  投稿内容閲覧及び評価者
１０６  第２プロセス討論主題に対する賛成意見投稿文
１０７  第２プロセス討論主題に対する反対意見投稿文
１０８  第２プロセス結論
１０９  第１プロセス討論主題に対する解決案投稿文
１１０  第２プロセス討論主題に対する解決案投稿文
１１１  ＣＰＵ
１１２  ＲＯＭ
１１３  ハードディスク
１１４  キーボード
１１５  マウス
１１６  ディスプレイ
１１７  光学式ドライブ
１１８  ＲＡＭ
１１９  システムバス
２０１  討論主題投稿メッセージ表示エリア
２０２  賛成意見投稿メッセージ表示エリア
２０３  反対意見投稿メッセージ表示エリア
２０４  意見投稿ボタン
２０５  討論主題の解決案の投稿表示エリア
２０６  解決案投稿ボタン
２０７  最大支持解決案表示エリア
２０８  結論表示ボタン
２１０  スライダー
４０１  討論主題に対する意見投稿文
【図１】
2014056433.tif 000003
【図２】
2014056433.tif 000004
【図３】
2014056433.tif 000005
【図４】
2014056433.tif 000006